(57)【要約】【課題】  ガスや水道の湾曲が可能な引き込み管などの、短距離での敷き設において、水路等の障害物があり、周囲に構造物があるなど開削が困難な場所でも、人力で簡単に最少限の開削工で配管スペースを確保し、引き込みが可能となる工具を提供する事である。【解決手段】  打撃部を設けた丸棒の先端に凸屈曲部を設けた打撃棒４００と、凹屈曲部を設けた丸棒の先端に誘導部を設けた誘導棒２００の間に、凹屈曲部を設けた丸棒の先端に凸屈曲部を設けた屈曲棒３００を、同一方向に屈曲できるよう配置嵌合し、連結ピン５００で結合した屈曲する打撃工具１００であり、屈曲始点まで仮棒を打撃し打ち込み下穴を確保した後に、到達地点へ向くように屈曲する打撃工具１００を配置挿入し、さらに打撃し打ち込む事で、屈曲しながら進行し目的の到達地点へ達し配管スペースを確保でき、引き込みが可能となる。【選択図】図５
2009091879.tif 000002
【特許請求の範囲】
【請求項１】
丸棒の中心軸線Ａ上に、丸棒の３分の２程度の外径で摺動面となる半球状を設け、その基準点Ｇを中心に、逃げ角度Ｐにて偏位した中心軸線Ｂ上に延長して延びる円柱を形成し、曲面にて丸棒に至り、さらに連結用のピン穴を設けた凸屈曲部と、丸棒の中心軸線Ａ上の基準点Ｈを中心に、逃げ角度Ｐにて偏位した中心軸線Ｃ上に、前記凸屈曲部が嵌合し、且つ基準点Ｈを中心に、逃げ角度Ｐより反対方向へ、屈曲角度Ｑにて偏位した中心軸線Ｄ上まで屈曲できる摺動面となる凹型半球状を設け、且つ楕円テーパー状の凹穴を形成し、さらに屈曲に対応し且つ各棒を連結し回り止めとなる円弧状のピン穴を設け、切り欠きを形成した凹屈曲部とを特徴とする屈曲する打撃工具。
【請求項２】
打撃部を設けた丸棒の先端に凸屈曲部を設けた打撃棒と、凹屈曲部を設けた丸棒の先端に誘導部を設けた誘導棒の間に、凹屈曲部を設けた丸棒の先端に凸屈曲部を設けた屈曲棒を、同一方向に屈曲できるよう配置嵌合し、連結ピンで結合したことを特徴とし、各屈曲部は請求項１記載の凸屈曲部又は凹屈曲部である屈曲する打撃工具。
【請求項３】
前記、誘導棒と屈曲棒において、丸棒が屈曲方向へ僅かに湾曲した形状とし、屈曲棒の凸屈曲部と凹屈曲部における中心軸線Ａは、直線であることを特徴とした請求項１請求項２記載の屈曲する打撃工具。
【発明の詳細な説明】
【技術分野】
【０００１】  本発明は、ガスや水道の湾曲が可能な引き込み管などの、短距離での敷設を最少限の開削で行う為に用いる工具に関する。
【背景技術】
【０００２】  ガスや水道の本管から各家庭に引き込まれる湾曲が可能な引き込み管の敷設において、水路や擁壁等の下越し推進は可能であるが、短距離での引き込み管敷き設に対し、高価で大がかりな設備による推進機はほとんど使用されない。【０００３】  一般的な方法は、真直ぐな仮棒を打撃し打ち込むことにより配管スペースを確保し、引き込み管の敷き設を行っていた。しかし、仮棒推進側と到達側の少なくとも２箇所の開削が必要である。また、開削スペースがない時や仮棒の打ち込みスペースがない時は、障害物の下まで開削が必要となり、敷き設不能となることもあった。
【発明の開示】
【発明が解決しようとする課題】
【０００４】  本発明は、ガスや水道の湾曲が可能な引き込み管などの、短距離での敷き設において、水路等の障害物があり、周囲に構造物があるなど開削が困難な場所でも、人力で簡単に最少限の開削工で配管スペースを確保し、引き込みが可能となる工具を提供する事である。
【課題を解決するための手段】
【０００５】  本発明は、屈曲部を設けた打撃工具であり、丸棒の中心軸線Ａ上に、丸棒の３分の２程度の外径で摺動面となる半球状を設け、その基準点Ｇを中心に、逃げ角度Ｐにて偏位した中心軸線Ｂ上に延長して延びる円柱を形成し、曲面にて丸棒に至り、さらに連結用のピン穴を設けた凸屈曲部と、丸棒の中心軸線Ａ上の基準点Ｈを中心に、逃げ角度Ｐにて偏位した中心軸線Ｃ上に、前記凸屈曲部が嵌合し、且つ基準点Ｈを中心に、逃げ角度Ｐより反対方向へ、屈曲角度Ｑにて偏位した中心軸線Ｄ上まで屈曲できる摺動面となる凹型半球状を設け、且つ楕円テーパー状の凹穴を形成し、さらに屈曲に対応し且つ各棒を連結し回り止めとなる円弧状のピン穴を設け、切り欠きを形成した凹屈曲部とを備えた屈曲する打撃工具である。【０００６】  又、打撃部を設けた丸棒の先端に凸屈曲部を設けた打撃棒と、凹屈曲部を設けた丸棒の先端に誘導部を設けた誘導棒の間に、凹屈曲部を設けた丸棒の先端に凸屈曲部を設けた屈曲棒を、同一方向に屈曲できるよう配置嵌合し、連結ピンで結合した屈曲する打撃工具である。【０００７】  さらに前記、誘導棒と屈曲棒において、丸棒が屈曲方向へ僅かに湾曲した形状とし、屈曲棒の凸屈曲部と凹屈曲部における中心軸線Ａは、直線である屈曲する打撃工具である。【０００８】本発明の屈曲する打撃工具は、屈曲始点まで仮棒を打撃し打ち込み下穴を確保した後に、到達地点へ向くように屈曲する打撃工具を配置挿入し、さらに打撃し打ち込む事で、屈曲しながら進行し目的の到達地点へ達し配管スペースを確保でき、引き込みが可能となる。
【発明の効果】
【０００９】  本発明の屈曲する打撃工具は、凸屈曲部また凹屈曲部が屈曲角度Ｑまで摺動可動し屈曲するものであり、必要に応じた屈曲角度や長さの屈曲棒を、必要な個数組み替える事ができる為、今までは敷き設不能であった狭い場所でも施工が可能になった。さらに、今まででは不可能であった急円弧状の下穴確保が可能となった。【００１０】  又、本発明の屈曲する打撃工具を打撃し打ち込む時において、逃げ角度Ｐ偏位した凸屈曲部と凹屈曲部を設ける事により、打撃し打ち込む時の衝撃で地中到達前の屈曲棒が、屈曲方向へ折れ曲がることを防止でき、はつり機による打ち込みも可能である。【００１１】  本発明の屈曲する打撃工具を使用する事により、転圧しにくい民地側の開削工が不要となり、陥没の恐れがなくなった。又、湧き水の心配が不要となった。【００１２】  本発明は、引き抜くに従い、屈曲した屈曲部分が打ち込み前の棒状となるように摺動可動する為、引き抜くときの土圧による負荷が軽減され、引き抜きやすくなり、本工具の損傷防止につながるものでもある。【００１３】  本発明工具は、動力源を必要とせず、人力で使用できる為、場所を選ばずどこへでも持ち運びでき、動力源の乏しい災害復旧現場でも使用可能である。【００１４】  本発明を使用する事により、開削工や材料さらに使用機材等が削減できる為、工期の短縮や費用の削減につながり、環境保護にもつながる工具である。
【発明を実施するための最良の形態】
【００１５】  本発明は、打撃打ち込みにより使用される為、打撃力を伝達できる硬くねばり強い材質を使用する。構成については図２に示すように、打撃部４０を設けた丸棒１３の先端に凸屈曲部２０を設けた打撃棒４００と、凹屈曲部３０を設けた丸棒１１の先端に誘導部１０を設けた誘導棒２００の間に、凹屈曲部３０を設けた丸棒１２の先端に凸屈曲部２０を設けた屈曲棒３００を、必要に応じた個数にて同一方向に屈曲できるよう配置嵌合し、連結ピン５００で結合した屈曲する打撃工具１００である。【００１６】  図１に示すように、凸屈曲部２０は、丸棒１２又は１３の中心軸線Ａ上に、丸棒の３分の２程度の外径で摺動面となる半球状１を設け、その基準点Ｇを中心に、逃げ角度Ｐにて偏位した中心軸線Ｂ上に延長して延びる円柱２を形成し、曲面３にて丸棒１２又は１３に至り、さらに連結用のピン穴４を設けたものである。凹屈曲部３０は、丸棒１１又は１２の中心軸線Ａ上の基準点Ｈを中心に、逃げ角度Ｐにて偏位した中心軸線Ｃ上に、前記凸屈曲部２０が嵌合し、且つ基準点Ｈを中心に、逃げ角度Ｐより反対方向へ、屈曲角度Ｑにて偏位した中心軸線Ｄ上まで屈曲できる摺動面となる凹型半球状６を設け、且つ楕円テーパー状の凹穴７を形成し、さらに屈曲に対応し且つ各棒を連結し回り止めとなる円弧状のピン穴８を設け、切り欠き９を形成したものである。【００１７】  前記の凸屈曲部２０と凹屈曲部３０を配置嵌合し、連結ピン５００で結合する構造とした事で、打撃力を伝達しながら摺動可動し、屈曲が可能になる。又、連結ピン５００に直接打撃力が及ばない為、連結ピン５００又はピン穴４、８の損傷防止になるものである。【００１８】  又、誘導棒２００と屈曲棒３００において、丸棒１１と丸棒１２が屈曲方向へ僅かに湾曲した形状とし、図３に示すように、湾曲した丸棒１２ａを形成した凸屈曲部２０と凹屈曲部３０における中心軸線Ａは直線であり、凸屈曲部２０と凹屈曲部３０は前記記載のものである湾曲した屈曲棒３００ａである。湾曲した誘導棒についての図は省略する。【００１９】  屈曲棒３００又は３００ａが屈曲した状況を図４図５に示すように、凸屈曲部２０また凹屈曲部３０が屈曲角度Ｑまで摺動可動し屈曲するものであり、必要に応じた屈曲角度や長さの屈曲棒を、必要な個数組み替える事ができる、屈曲する打撃工具１００である。【００２０】  図５に示すように、本発明の屈曲する打撃工具１００を使用する事により、水路３１や構造物３２のある狭い場所でも施工が可能であり、屈曲始点まで仮棒を打撃し打ち込み下穴を確保した後に、屈曲する打撃工具１００の誘導棒２００が到達地点へ向くように配置挿入し、さらに打撃し打ち込みを続ける事により、凸屈曲部２０また凹屈曲部３０が屈曲角度Ｑまで摺動可動し、円弧状に屈曲しながら進行し目的の到達地点まで達し、引き込み管を連結した後、引き抜きと同時に引き込み管の敷き設が可能となるものである。
【図面の簡単な説明】
【００２１】
【図１】本発明の凸屈曲部と凹屈曲部を示す側面図である。
【図２】本発明の一実施形態を示す側面図である。
【図３】本発明の湾曲した屈曲棒を示す側面図である。
【図４】本発明の屈曲棒が屈曲した一実施形態を示す側面図である。
【図５】本発明の一実施例を示す図である。
【符号の説明】
【００２２】  Ａ        中心軸線
Ｂ        中心軸線
Ｃ        中心軸線
Ｄ        中心軸線
Ｇ        基準点
Ｈ        基準点
Ｐ        逃げ角度
Ｑ        屈曲角度
１        摺動面となる半球状
２        円柱
３        曲面
４        ピン穴
６        摺動面となる凹型半球状
７        凹穴
８        ピン穴
９        切り欠き
１０      誘導部
１１      丸棒
１２      丸棒
１２ａ    湾曲した丸棒
１３      丸棒
２０      凸屈曲部
３０      凹屈曲部
３１      水路
３２      構造物
３３      ガス又は水道本管
３４      開削工
４０      打撃部
１００    屈曲する打撃工具
２００    誘導棒
３００    屈曲棒
３００ａ  湾曲した屈曲棒
４００    打撃棒
５００    連結ピン
【図１】
2009091879.tif 000003
【図２】
2009091879.tif 000004
【図３】
2009091879.tif 000005
【図４】
2009091879.tif 000006
【図５】
2009091879.tif 000007